(57)【要約】【課題】  窮屈感が解消されるとともに、使用したままの状態で歩行できる利便性の高い寝袋を提供する。【解決手段】  上部に開口部を有する寝袋であって、使用者の胴体を収容する胴体収容部と、該胴体収容部から下部方向に向かって二股状に延出した脚収容部と、を設け、該脚収容部に使用者の脚の全部又は一部分を左右別々に収容することができることを特徴とする。【選択図】    図１
2005058445.tif 000002
【特許請求の範囲】
【請求項１】
上部に開口部を有する寝袋であって、
使用者の胴体を収容する胴体収容部と、
該胴体収容部から下部方向に向かって二股状に延出した脚収容部と、を設け、
該脚収容部に使用者の脚の全部又は一部分を左右別々に収容することができることを特徴とする寝袋。
【請求項２】
所定幅領域で開閉できる開閉手段が少なくとも前記脚収容部の左右何れかの側に設けられていることを特徴とする請求項１に記載の寝袋。
【請求項３】
前記開閉手段は、長手方向に設けられ、その先端が前記胴体収容部の開口端にまで達していることを特徴とする請求項２に記載の寝袋。
【請求項４】
前記開閉手段はファスナーであり、その両端の何れの側からも開閉できるように２以上のスライダーが設けられていることを特徴とする請求項２又は請求項３に記載の寝袋。
【発明の詳細な説明】
【技術分野】
【０００１】
本発明は、寝袋に関し、特に使用した状態で歩行可能とする寝袋に関する。
【背景技術】
【０００２】
寝袋は、主としてキャンプ等のアウトドアレジャーで用いられる簡易な寝具として以前よりよく知られている。その形状は、基本的には”人形型（マミー）型”と”封筒（レクタングラー）型”との２種類に分けられる。
【０００３】
人形型は、人間の身体の形（上部が半円状で下部方向に向かって幅狭）に合わせた形状を持つ。そのため、身体との間に隙間ができにくく、熱を効率よく保持してくれるため、保温性が高い。また、軽量でコンパクトに収納できるため携帯するのに便利である。ただし、手足の自由が利かないので窮屈感がある。
【０００４】
封筒型は、家庭で使う布団と同じ形をしている。そのため、布団に寝てる感覚で寝返りがうてたりでき、比較的手足が自由が利く点で便利である。ただし、肩口が開いているので保温力は人形型と比べたら落ち、また、収納がかさばるという欠点がある。
【発明の開示】
【発明が解決しようとする課題】
【０００５】
上述の通り人形型の寝袋はその形状上、窮屈度が高い。一方、封筒型の寝袋にしても、人形型に比べれば手足の自由は利くものの、閉塞された構造となっている以上、家庭の布団と同様に動けるわけでなく、窮屈感は否めない。
【０００６】
また、両者共通して、使用したままで立ち上がり、移動することができない構造となっている。したがって、例えば、就寝中に災害が発生した場合等の緊急時において、先ず、寝袋から出なくてはならず、迅速な避難、移動が困難となる。また、そのような緊急時ではなくても、例えば、近辺での寝場所の移動や、近くから物を取ってきたり等の小用を足すのにも、いったん寝袋から出なくてはならないため不便である。
【０００７】
本発明は、上記問題を鑑みてなされたもので、窮屈感が解消されるとともに、利便性の優れた寝袋を提供することを目的とする。
【課題を解決するための手段】
【０００８】
そこで、本発明に係る寝袋は、上部に開口部を有する寝袋であって、使用者の胴体を収容する胴体収容部と、該胴体収容部から下部方向に向かって二股状に延出した脚収容部と、を設け、該脚収容部に使用者の脚の全部又は一部分を左右別々に収容することができることを特徴とする。
【０００９】
上記構成の寝袋によれば、その使用中、使用者の両足は、二股状に延出した脚部収容部に収容された状態となるので、それぞれ独立して動かすことが可能となる。したがって、窮屈感は解消され、快適な睡眠が可能となる。
【００１０】
また、寝袋から出ることなく立ち上がり、歩行することができるため、例えば、緊急時においても、即座に移動することができる。また、緊急時以外においても、近くから物を取ってきたり等の小用を寝袋に入った状態で行えるため非常に便利である。
【００１１】
また、所定幅領域で開閉できる開閉手段が前記脚収容部に設けられていると、通風口として機能し、寝袋内部を快適な温度に保つことができる。
【００１２】
また、使用者は、開閉手段によって開口された部分から足を露出することで、窮屈感をよりいっそう解消でき、さらに立ち上がりや歩行動作がよりいっそう容易となる。
【００１３】
また、前記開閉手段は、ファスナーで構成されるのが好ましく、かかる場合、開閉の度合いの調節が容易となるため、侵入させ、排出させる外内気量も調節し易くなる。したがって、例えば、その両端の何れの側からも開閉できるように２以上のスライダーを設けた構成とすると、当該ファスナーの両端付近の内部温度調節が容易となる。
【発明の効果】
【００１４】
本発明の寝袋は、使用者の両脚を収容する脚収容部を設けることで、窮屈感が解消され、快適な睡眠が可能となる。また、寝袋から出ることなく立ち上がり、歩行することができるため利便性が向上する。
【００１５】
また、寝袋に所定幅領域で開閉できる開閉手段を設けると、内部温度の細かい調節が可能となるとともに、上記効果をよりいっそう高めることができる。
【発明を実施するための最良の形態】
【００１６】
以下、本発明の寝袋の一実施形態について図面を参酌しつつ説明する。
【００１７】
図１は、本発明の実施形態に係る寝袋の外観を示す平面図である。図１の寝袋１において、２は開口部、３は使用者の胴体を略収容する胴体収容部、４Ａ、４Ｂは使用者の脚の全部又は一部を収容する脚収容部、５、６は寝袋１の長手方向に開閉可能とするファスナー（開閉手段）、７Ａ及び７Ｂはファスナー５のスライダー、７Ｃ及び７Ｄはファスナー６のスライダーである。
【００１８】
図１に示すように、寝袋１の外観形状は、胴体収容部３から上部においては従来の人形型の寝袋と同様の形状となっている。本実施形態の寝袋１は、胴体収容部３の下部方向から二股状に延出した脚収容部４Ａ、４Ｂを設けており、かかる点が本発明の特徴の１つとなっている。
【００１９】
寝袋１の全体及び各部のサイズは、その販売地域（国）や性別、年齢によって異なるが、その使用態様として、使用者の頭部が開口部２の上に置かれ、つま先を延ばした先端が、脚収容部４Ａ、４Ｂの先端に届き、使用者の股間が脚収容部４Ａ、４Ｂの二股に切離した先端よりやや上方に位置するのが好ましい。
【００２０】
寝袋１の使用中、使用者の両足は、脚収容部４Ａ、４Ｂに収容された状態となり、それぞれ独立して動かすことが可能となるので、例えば、足を重ねたり、組んだり、折ったりして寝ることができる。よって、窮屈感は解消され、快適な睡眠が可能となる。
【００２１】
また、緊急時において、寝袋から出ることなく立ち上がり、歩行することができるため、速やかな移動が可能となる。また、緊急時以外においても、寝場所の移動や、近くから物を取ってきたり等の小用を、寝袋に入った状態で行えるため非常に便利である。
【００２２】
そして、本発明のもう一つの特徴は、開閉手段（ファスナー５、６）が設けられている点にある。ファスナー５は、開口部２の左端から寝袋１の長手方向に向かって脚収容部４Ａの所定の位置まで設けられている。ファスナー５には、その両端から開閉できるようにスライダー７Ａ、７Ｂが取り付けられている。スライダー７Ａは、寝袋１への使用者の出入り時に使用される。また、スライダー７Ｂは、脚収容部４Ａ付近の内部を快適な温度に保つために、外気を進入させ、内気を排出させる通気口の調節として使用される。また、スライダー７Ｂによる開口部分から使用者は足（右）を露出することもできるため、気温が高い時などに快適であり、開放感も高まる。そして、足を出せることで、上述した、緊急時や小用を足す場合などに立ち上がり、歩行することがよりいっそう容易となる。このようなことから上記所定の位置（ファスナー５の下部方向先端の位置）は足の露出が容易となる位置に設けるのが望ましい。
【００２３】
ファスナー６は、寝袋１の正面右側外縁付近の所定の位置から長手方向に向かって脚収容部４Ｂの所定の位置まで設けられている。ファスナー６は、通気口としての役割や使用者の足（左）を露出させるために用いられる。その下部方向先端の位置は、ファスナー５と同様に足の露出が容易となる位置にするのが望ましい。また、上部方向先端位置については、最低限、足の露出が容易となる長さを確保できる位置で良いが、図１に示す如く、胴体収容部３上にまで引き上げると、スライダー７Ｃの開閉によって、使用者の胴体付近のより細かい温度調節が可能となる。
【００２４】
以上のように、本実施形態に係る寝袋は、使用者の両足を収容できる脚収容部４Ａ、４Ｂを設けているため、使用（身体を収容した）した状態で立ち上がり、歩行することができ、緊急時において即座に避難したり、近くから物を取ってきたり等の小用を寝袋から出ることなく行うことができる。
【００２５】
また、通気口として機能するファスナー５、６を設けることで寝袋内部を快適な温度に保つことができる。
【００２６】
さらに、ファスナー５、６によって、使用者は足を露出させることができるため、解放感が高まるとともに、直に地面に着地できるので、立ち上がったり、歩行することがよりいっそう容易となる。
【００２７】
尚、本発明に係る寝袋は、上記実施形態に限定されるものではなく、本発明の要旨を逸脱しない範囲で種々の変更が可能である。
【００２８】
例えば、上記実施形態の寝袋１の外形ベースは人形型となっているがこれに限定されず、外形が封筒型であっても良い。
【００２９】
また、脚収容部の下部方向先端部（足先）の形状は、上記実施形態（図１）に示すような馬蹄状でなくても良く、例えば、角形でも構わない。
【００３０】
また、ファスナーに取り付けるスライダーの数は２つに限定されず、それ以上であっても良いし、１つだけ（一方端からの開閉のみ可能）であっても良い
【００３１】
また、上記実施形態の開閉手段は、ファスナーで構成されているが、これに限定されず、面ファスナーや適宜位置に取り付けたボタン、ジョイントフック等で構成されていても良い。
【００３２】
また、開閉手段の設置態様は、上記実施形態に限定されるものでなく、その用途（使用者の出入り、通気口、足の露出等）に対して不都合が生じない限り、いかなる態様であっても構わない。
【００３３】
例えば、上記実施形態では、寝袋の左側（使用者の右半身側）に設けられた開閉手段の先端部が胴体収容部の開口端にまで達しており、寝袋の右側（使用者の左半身側）に設けられた開閉手段の先端部は胴体収容部の開口端に達していない態様となっているが、これとは逆の態様（寝袋の右側に設けられた開閉手段の先端部が胴体収容部の開口端にまで達しており、寝袋の左側に設けられた開閉手段の先端部は胴体収容部の開口端に達していない態様）であっても良い。
【００３４】
また、寝袋の左右両側に設けられた開閉手段ともに、その先端部が胴体収容部の開口端にまで達していても良いし、両者ともに、開口端に達していなくても良い。
【００３５】
また、開閉手段は、寝袋の左右片側毎に１つずつ設けるだけでなく、それぞれの側に複数設けられていても良い。また、左右何れか一方側にのみ設けられても良い。
【００３６】
また、開閉手段は、必ずしも必要でなく、無くても構わない。
【００３７】
また、開閉手段の設置方向は、長手方向に限定されず、長手方向に直交する方向（短手方向）であっても良いし、また、直線形状ではなく、曲線にしても構わない。
【００３８】
また、脚収容部４Ａ、４Ｂの各々対向する部位に接合手段（所定幅に亘って設けられた面ファスナーや適宜位置に設けられたボタン、ジョイントフック等）を設けて、脚収容部４Ａ、４Ｂを接合できるようにしても良い。このように脚収容部４Ａ、４Ｂを一体化できるようにすると、折りたたみが容易にでき、収納の際、取り扱いが便利となる。また、かかる状態にすることで掛け布団の代用とすることも可能となる。
【００３９】
また、脚収容部４Ａ、４Ｂの足先付近の裏（内部）側にポケットを設けても良い。かかるポケットには、開閉手段を用いて物の出し入れを行う。そして、当該ポケットに例えば、カイロなどを入れると、保温効果をいっそう高めることができる。
【図面の簡単な説明】
【００４０】
【図１】本発明の一実施形態に係る寝袋の平面図を示す。
【符号の説明】
【００４１】
１…寝袋
２…開口部
３…胴体収容部
４Ａ、４Ｂ…脚収容部
５、６…ファスナー
７Ａ、７Ｂ、７Ｃ、７Ｄ…スライダー
【図１】
2005058445.tif 000003